(57)【要約】【課題】ユーザに過度の負担を強いることなく、利便性の高いセキュリティ印刷処理を実現する。【解決手段】本発明のセキュリティ印刷システム１００は、画像形成装置１と携帯通信装置２とを有する。画像形成装置１は、生体情報を入力するための生体情報入力部７１と、印刷物保管部５３と、少なくとも１つの排紙トレイ５２と、画像形成部３０と、制御部１０とを有する。携帯通信装置２には、生体情報が登録生体情報として予め登録されている。画像形成装置１と携帯通信装置２は、予め設定されている近距離無線通信で接続するように構成されている。制御部１０は、生体情報入力部７１によって入力された生体情報と、近距離無線通信によって取得された登録生体情報との一致に応じて印刷物を生成し、近距離無線通信が予め定められた所定の状態にある場合に生成された印刷物を少なくとも１つの排紙トレイのいずれかへ排紙することを特徴とする。【選択図】図１
2016224573.tif 000002
【特許請求の範囲】
【請求項１】
画像形成装置と携帯通信装置とを有するセキュリティ印刷システムであって、
前記画像形成装置は、生体情報を入力するための生体情報入力部と、印刷物保管部と、少なくとも１つの排紙トレイと、画像形成部と、制御部とを有し、
前記携帯通信装置には、前記生体情報が登録生体情報として予め登録されており、
前記画像形成装置と前記携帯通信装置は、予め設定されている近距離無線通信で接続するように構成され、
前記制御部は、前記生体情報入力部によって入力された生体情報と、前記近距離無線通信によって取得された登録生体情報との一致に応じて印刷物を生成し、前記近距離無線通信が予め定められた所定の状態にある場合に前記生成された印刷物を前記少なくとも１つの排紙トレイのいずれかへ排紙することを特徴とするセキュリティ印刷システム。
【請求項２】
請求項１に記載のセキュリティ印刷システムであって、さらに、
前記少なくとも１つの排紙トレイは、予め設定されている特定の排紙トレイを含む複数の排紙トレイを有し、
前記画像形成装置は、前記一致に応じて生成された印刷物を前記特定の排紙トレイに排紙するセキュリティ印刷システム。
【請求項３】
請求項２に記載のセキュリティ印刷システムであって、
前記画像形成装置は、前記近距離無線通信が予め定められた所定の状態から外れたとの決定に応じて前記印刷物を前記特定の排紙トレイから前記印刷物保管部に移動させるセキュリティ印刷システム。
【請求項４】
請求項２又は３に記載のセキュリティ印刷システムであって、
前記画像形成装置は、前記近距離無線通信が予め定められた所定の状態から外れたとの決定後において、前記近距離無線通信が予め定められた所定の状態となったとの決定に応じて前記印刷物保管部から前記特定の排紙トレイに前記印刷物を排紙するセキュリティ印刷システム。
【請求項５】
請求項１乃至４のいずれか１項に記載のセキュリティ印刷システムであって、
前記画像形成部は、前記携帯通信装置毎に固有の電子透かしを前記印刷物に印刷し、
前記画像形成装置は、前記携帯通信装置との前記近距離無線通信が予め定められた所定の状態にある場合に、前記携帯通信装置に対応する電子透かしが印刷された印刷物を前記排紙するセキュリティ印刷システム。
【請求項６】
生体情報が登録生体情報として予め登録されている携帯通信装置を使用するセキュリティ印刷システムに使用される画像形成装置であって、
前記画像形成装置は、前記生体情報を入力するための生体情報入力部と、印刷物保管部と、少なくとも１つの排紙トレイと、画像形成部と、制御部とを有し、
前記画像形成装置は、前記携帯通信装置と予め設定されている近距離無線通信で接続するように構成され、
前記制御部は、前記生体情報入力部によって入力された生体情報と、前記近距離無線通信によって取得された登録生体情報との一致に応じて印刷物を生成し、前記近距離無線通信が予め定められた所定の状態にある場合に前記生成された印刷物を前記少なくとも１つの排紙トレイのいずれかへ排紙することを特徴とする画像形成装置。
【請求項７】
画像形成装置と携帯通信装置とを使用するセキュリティ印刷方法であって、
生体情報を入力するための生体情報入力部と、印刷物保管部と、少なくとも１つの排紙トレイと、画像形成部と、制御部とを有する画像形成装置と、携帯通信装置とを準備する工程と、
前記携帯通信装置に前記生体情報を登録生体情報として予め登録する工程と、
前記画像形成装置と前記携帯通信装置とを予め設定されている近距離無線通信で接続する工程と、
前記生体情報入力部によって入力された生体情報と、前記近距離無線通信によって取得された登録生体情報との一致に応じて印刷物を生成する工程と、
前記近距離無線通信が予め定められた所定の状態にある場合に前記生成された印刷物を前記少なくとも１つの排紙トレイのいずれかへ排紙する工程と、
を備えることを特徴とするセキュリティ印刷方法。
【発明の詳細な説明】
【技術分野】
【０００１】
本発明は、セキュリティ印刷システム、セキュリティ印刷方法及びこれらに使用される画像形成装置及び携帯通信装置に関し、特に印刷物の秘匿性を確保するシステムに関する。
【背景技術】
【０００２】
近年、機密文書の複写や印刷を行う場合において、印刷物の生成後に印刷物を取り忘れ、セキュリティ上の問題が発生するケースがある。このような問題を防ぐ技術としては、パスワードによる認証処理での印刷スタートや離れた場所にある端末からプリント操作を行った際に、印刷物をカバー付きの排紙トレイに出力し印刷物を取り出す時に認証を行う方法も提案されている。一方、特開２００８−２５９１３８は、機密文書の複写の際にユーザが画像読取装置の近傍から離れないように促す技術を開示している。
【先行技術文献】
【特許文献】
【０００３】
【特許文献１】特開２００８−２５９１３８号公報
【発明の概要】
【発明が解決しようとする課題】
【０００４】
しかしながら、機密文書の複写や印刷の際にユーザが画像形成装置から離れられないようにすることはユーザの利便性を損なうことになる。さらに、特許文献１の技術は、ユーザが画像読取装置の近傍から離れないように促すために、画像読取装置によって検知可能なユーザ操作の強制、あるいは人体検知センサの装備を必要としている。
【０００５】
本発明は、このような状況に鑑みてなされたものであり、ユーザに過度の負担を強いることなく、利便性の高いセキュリティ印刷システムを提供することを目的とする。
【課題を解決するための手段】
【０００６】
本発明のセキュリティ印刷システムは、画像形成装置と携帯通信装置とを有する。前記画像形成装置は、生体情報を入力するための生体情報入力部と、印刷物保管部と、少なくとも１つの排紙トレイと、画像形成部と、制御部とを有する。前記携帯通信装置には、前記生体情報が登録生体情報として予め登録されている。前記画像形成装置と前記携帯通信装置は、予め設定されている近距離無線通信で接続するように構成されている。前記制御部は、前記生体情報入力部によって入力された生体情報と、前記近距離無線通信によって取得された登録生体情報との一致に応じて印刷物を生成し、前記近距離無線通信が予め定められた所定の状態にある場合に前記生成された印刷物を前記少なくとも１つの排紙トレイのいずれかへ排紙することを特徴とすることを特徴とする。
【０００７】
上記セキュリティ印刷システムにおいて、さらに、前記少なくとも１つの排紙トレイは、予め設定されている特定の排紙トレイを含む複数の排紙トレイを有する。前記画像形成装置は、前記一致に応じて生成された印刷物を前記特定の排紙トレイに排紙する。
【０００８】
上記セキュリティ印刷システムにおいて、前記画像形成装置は、前記近距離無線通信が予め定められた所定の状態から外れたとの決定に応じて前記印刷物を前記特定の排紙トレイから前記印刷物保管部に移動させる。
【０００９】
上記セキュリティ印刷システムにおいて、前記画像形成装置は、前記近距離無線通信が予め定められた所定の状態から外れたとの決定後において、前記近距離無線通信が予め定められた所定の状態となったとの決定に応じて前記印刷物保管部から前記特定の排紙トレイに前記印刷物を排紙する。
【００１０】
上記セキュリティ印刷システムにおいて、前記画像形成部は、前記携帯通信装置毎に固有の電子透かしを前記印刷物に印刷し、前記画像形成装置は、前記携帯通信装置との前記近距離無線通信が予め定められた所定の状態にある場合に、前記携帯通信装置に対応する電子透かしが印刷された印刷物を前記排紙する。
【００１１】
本発明の画像形成装置は、生体情報が登録生体情報として予め登録されている携帯通信装置を使用するセキュリティ印刷システムに使用される。前記画像形成装置は、前記生体情報を入力するための生体情報入力部と、印刷物保管部と、少なくとも１つの排紙トレイと、画像形成部と、制御部とを有する。前記画像形成装置は、前記携帯通信装置と予め設定されている近距離無線通信で接続するように構成されている。前記制御部は、前記生体情報入力部によって入力された生体情報と、前記近距離無線通信によって取得された登録生体情報との一致に応じて印刷物を生成し、前記近距離無線通信が予め定められた所定の状態にある場合に前記生成された印刷物を前記少なくとも１つの排紙トレイのいずれかへ排紙することを特徴とする。
【００１２】
本発明のセキュリティ印刷方法は、画像形成装置と携帯通信装置とを使用する。本セキュリティ印刷方法は、生体情報を入力するための生体情報入力部と、印刷物保管部と、少なくとも１つの排紙トレイと、画像形成部と、制御部とを有する画像形成装置と、携帯通信装置とを準備する工程と、前記携帯通信装置に前記生体情報を登録生体情報として予め登録する工程と、前記画像形成装置と前記携帯通信装置とを予め設定されている近距離無線通信で接続する工程と、前記生体情報入力部によって入力された生体情報と、前記近距離無線通信によって取得された登録生体情報との一致に応じて印刷物を生成する工程と、前記近距離無線通信が予め定められた所定の状態にある場合に前記生成された印刷物を前記少なくとも１つの排紙トレイのいずれかへ排紙する工程とを備える。
【発明の効果】
【００１３】
本発明のセキュリティ印刷処理によれば、ユーザに過度の負担を強いることなく、利便性の高いセキュリティ印刷処理を実現することができる。
【図面の簡単な説明】
【００１４】
【図１】本発明の一実施形態に係るセキュリティ印刷システムの機能構成を示すブロックダイアグラム。
【図２】一実施形態に係るセキュリティ印刷処理の手順を示すフローチャート。
【図３】一実施形態に係るユーザ認証処理の手順を示すフローチャート。
【図４】一実施形態に係る印刷物取得処理の手順を示すフローチャート。
【図５】本発明の変形例に係るセキュリティ印刷システムの機能構成を示すブロックダイアグラム。
【発明を実施するための形態】
【００１５】
以下、本発明を実施するための形態（以下、「実施形態」という）を、図面を参照して説明する。
【００１６】
図１は、本発明の一実施形態に係るセキュリティ印刷システム１００の機能構成を示すブロックダイアグラムである。セキュリティ印刷システム１００は、画像形成装置１と携帯通信装置２とを備える。画像形成装置１は、制御部１０と、画像読取部２０と、印刷媒体に画像を形成する画像形成部３０と、記憶部４０と、印刷物搬送部５０と、無線通信部６０と、操作表示部７０と、自動紙送り装置（ＡＤＦ）８０とを備えている。操作表示部７０は、指紋情報を取得できる指紋情報取得部としても機能するスタートボタン７１を備えている。無線通信部６０は、携帯通信装置２と近距離無線通信ＴＮによって接続可能である。携帯通信装置２は、本実施形態では、単にＰＤＡとも呼ばれて広い意味を有し、たとえばタブレットや携帯電話を含む。
【００１７】
制御部１０は、ＲＡＭやＲＯＭ等の主記憶手段、及びＭＰＵ（Ｍｉｃｒｏ  Ｐｒｏｃｅｓｓｉｎｇ  Ｕｎｉｔ）やＣＰＵ（Ｃｅｎｔｒａｌ  Ｐｒｏｃｅｓｓｉｎｇ  Ｕｎｉｔ）等の制御手段を備えている。また、制御部１０は、各種Ｉ／Ｏ、ＵＳＢ（ユニバーサル・シリアル・バス）、バス、その他ハードウェア等のインターフェイスに関連するコントローラ機能を備え、画像形成装置１全体を制御する。
【００１８】
記憶部４０は、非一時的な記録媒体であるハードディスクドライブやフラッシュメモリー等からなる記憶装置で、制御部１０が実行する処理の制御プログラムやデータを記憶する。
【００１９】
図２は、一実施形態に係るセキュリティ印刷処理の手順を示すフローチャートである。ステップＳ１０では、ユーザは、画像形成装置１のスタートボタン７１を操作する。ステップＳ２０では、画像形成装置１は、スタートボタン７１の操作に応じてユーザ認証処理を実行する。
【００２０】
図３は、一実施形態に係るユーザ認証処理の手順を示すフローチャートである。ステップＳ２１では、画像形成装置１は、指紋情報取得処理を実行する。指紋情報取得処理は、指紋情報取得部としても機能するスタートボタン７１によってユーザの指紋情報を取得する処理である。ステップＳ２２では、画像形成装置１は、ＰＤＡ自動接続処理を実行する。ＰＤＡ自動接続処理は、画像形成装置１が無線通信部６０を使用して、携帯通信装置２に対して近距離無線通信ＴＮで自動的に接続する処理である。
【００２１】
本実施例では、近距離無線通信ＴＮは、ＢＬＵＥＴＯＯＴＨ（登録商標）のＣＬＡＳＳ１を使用している。ＢＬＵＥＴＯＯＴＨのＣＬＡＳＳ１は、出力１ｍＷの通信であり、セキュリティ印刷システム１００と携帯通信装置２との距離が１ｍ以内程度での通信が可能な近距離無線通信である。
【００２２】
ステップＳ２３では、画像形成装置１は、登録指紋情報取得処理を実行する。登録指紋情報取得処理とは、携帯通信装置２に予め登録してある指紋情報を近距離無線通信ＴＮを介して画像形成装置１が取得する処理である。
【００２３】
登録指紋情報は、セキュリティ印刷処理の開始前に予め携帯通信装置２に登録しておくことになる。登録指紋情報は、たとえば指紋情報取得部としても機能するスタートボタン７１を使用することによって登録することができる。登録指紋情報の取得手順は、制御部１０において予め設定されている。
【００２４】
ステップＳ２４では、制御部１０は、指紋情報比較処理を実行する。指紋情報比較処理は、スタートボタン７１によって取得された指紋情報と、１つあるいは複数の携帯通信装置２に予め登録してある登録指紋情報とを比較する処理である。ステップＳ２５では、制御部１０は、両者に一致するものが少なくとも１つある場合には処理をステップＳ２７に進め、両者に一致するものが無い場合には処理をステップＳ２６に進める。ステップＳ２６では、セキュリティ印刷システム１００は、指紋登録要請画面を操作表示部７０に表示し、ユーザに上述の指紋登録処理を促す。
【００２５】
ステップＳ２７では、制御部１０は、複数の登録指紋情報と一致するか否かを決定する。制御部１０は、１つの登録指紋情報と一致する場合には処理をセキュリティ印刷処理（図２参照）に戻し、複数の登録指紋情報と一致する場合には処理をステップＳ２８に進める。ステップＳ２８では、セキュリティ印刷システム１００は、ＰＤＡ選択処理を実行する。ＰＤＡ選択処理は、近距離無線通信ＴＮによって接続されている複数のＰＤＡ２のいずれかの選択を操作表示部７０においてユーザに許容する処理である。
【００２６】
本実施形態では、同一の指紋情報が複数のＰＤＡ２に登録されていることを想定している。このような想定は、たとえば家族で画像形成装置１が備えられているビジネスセンターやコンビニエンスストアを訪れた場合を想定している。この際には、子供のＰＤＡ２に親が指紋情報を登録しておき、子供によるコピーや印刷の承認を親がスタートスイッチ７１で行うことができるので高い利便性を実現することができる。さらに、親のＰＤＡ２を子供に貸し与えることによっても、スタートスイッチ７１を使用した親による承認を前提として同様の利便性を実現することができる。
【００２７】
ステップＳ３０（図２参照）では、制御部１０は、選択されたＰＤＡ２（あるいは近距離無線通信ＴＮによって接続されている唯一のＰＤＡ２）と、自動紙送り装置８０にセットされている原稿の複写物である印刷物とを紐付ける。ステップＳ４０では、画像形成装置１は、印刷を開始する。通例では、自動紙送り装置８０は、高速に作動して画像読み取りを比較的早期に完了させる一方、印刷処理は、引き続き継続する。印刷処理では、たとえば機密文書の画像が複写された印刷物が印刷物搬送部５０に供給される。
【００２８】
印刷物搬送部５０は、第１排紙トレイ５１と、第２排紙トレイ５２と、印刷物保管部５３とを備えている。印刷物保管部５３は、ユーザが目視することも印刷物を取得することもできない画像形成装置１の内部に配置されている。
【００２９】
第１排紙トレイ５１は、印刷物とＰＤＡ２の紐付処理（ステップＳ３０参照）がなされていない印刷物が排紙されるトレイである。第２排紙トレイ５２は、印刷物とＰＤＡ２の紐付処理がなされている印刷物が排紙されるトレイである。印刷物搬送部５０は、第２排紙トレイ５２に排紙されている印刷物の印刷物保管部５３への搬送及び印刷物保管部５３から第２排紙トレイ５２への排紙をも行うことができる。
【００３０】
ステップＳ５０では、制御部１０は、選択されたＰＤＡ２等が近距離無線通信範囲内であるか否か、現実には選択されたＰＤＡ２等が近距離無線通信ＴＮによって接続されている状態が継続しているか否かを決定する。この際、ユーザは、一般的には印刷処理が完了し、近距離無線通信ＴＮの接続中に第２排紙トレイ５２に排紙された印刷物を取得した後に画像形成装置１から離れる。これにより、ＰＤＡ２等が近距離無線通信範囲外となって近距離無線通信ＴＮが切断され、処理がステップＳ６０に進められる。
【００３１】
ステップＳ６０では、制御部１０は、第２排紙トレイ５２に印刷物が残存しているか否かを決定する。この決定は、第２排紙トレイ５２に備えられているセンサ（図示せず）を使用して行われる。制御部１０は、第２排紙トレイ５２に印刷物が残存していない場合には処理を完了する。この場合には、上述のようにユーザが印刷物を取得済みとみなせるからである。一方、制御部１０は、第２排紙トレイ５２に印刷物が残存している場合には処理をステップＳ７０に進める。このケースは、具体的には、たとえば自動紙送り装置８０にセットされていた全ての原稿の読み取りが終了し、ユーザが原稿を回収した後に印刷物を放置して画像形成装置１から離れた場合が相当する。
【００３２】
ただし、制御部１０は、一定時間（たとえば数秒）の経過（継続して近距離無線通信ＴＮが切断状態）を待った後に処理をステップＳ７０に進める。一定時間の経過を待つのは、ユーザがＰＤＡ２とともに近距離無線通信範囲の境界付近に移動した際におけるチャタリングを防止するためである。
【００３３】
ステップＳ７０では、制御部１０は、印刷物搬送部５０を制御して第２排紙トレイ５２から印刷物保管部５３に印刷物を搬送する。これにより、個人情報を含む文書その他の機密文書は、不特定の第三者に見られることも誤って持ち去られることも無くなる。このように、本実施形態によれば、印刷物が印刷後に放置された場合でもセキュリティを確保しつつ、特別な操作を必要とすることなく何時でも印刷物が取得できる状態を実現することができる。一方、ＰＤＡ２の認証を行わない通常の印刷は、この状態においても第１排紙トレイ５１を使用して行うことができる。
【００３４】
さらに、ステップＳ７０では、画像形成装置１は、無線通信部６０を使用して、携帯通信装置２に対して印刷完了を通知し、処理がステップＳ８０に進められることとなる。携帯通信装置２は、たとえばバイブレータや着信音、アラートメールといった方法によってユーザに注意を喚起し、図示しない画面に印刷完了を表示する。
【００３５】
図４は、一実施形態に係る印刷物取得処理の手順を示すフローチャートである。ステップＳ８１では、ユーザは、印刷完了の表示に応じて画像形成装置１に近づく。この際、画像形成装置１は、印刷物保管部５３に保管されている印刷物と紐付けられているＰＤＡ２との再接続の待機中であり、他のＰＤＡ２でのセキュリティ印刷は制限されている。ステップＳ８２では、画像形成装置１は、このＰＤＡ２が近距離無線通信範囲内に入ったと決定すると処理をステップＳ８３に進める。
【００３６】
ステップＳ８３では、画像形成装置１は、近距離無線通信範囲内に入ったＰＤＡ２との無線通信の接続処理を行う。接続処理が完了すると、処理がステップＳ８４に進められる。ステップＳ８４では、制御部１０は、接続されたＰＤＡ２が残存印刷物に紐付けられているか否かを決定する。この決定は、たとえばＰＤＡ２の無線ＩＤに基づいて決定する。制御部１０は、接続されたＰＤＡ２が残存印刷物に紐付けられていない場合には、ＰＤＡ２に対してセキュリティ印刷処理が利用不可であることを表示し、接続されたＰＤＡ２が残存印刷物に紐付けられている場合には、処理をステップＳ８５に進める。
【００３７】
ただし、制御部１０は、一定時間（たとえば数秒）の経過（継続して近距離無線通信ＴＮが切断状態）を待った後に処理をステップＳ８５に進める。一定時間の経過を待つのは、ユーザがＰＤＡ２とともに近距離無線通信範囲の境界付近に移動した際におけるチャタリングを防止するためである。ユーザは、たとえば画像形成装置１の近くを通過するだけの場合もあるからである。
【００３８】
ステップＳ８５では、セキュリティ印刷システム１００は、近距離無線通信ＴＮの接続中に印刷物搬送部５０を制御して印刷物保管部５３から第２排紙トレイ５２に印刷物を搬送する。これにより、印刷部が第２排紙トレイ５２から取得可能な状態となるので、印刷物の所有者であるユーザは、印刷物を取得することができる（ステップＳ８６）。
【００３９】
このように、本実施形態は、ユーザに過度の負担を強いることなく、利便性の高いセキュリティ印刷処理を実現することができる。
【００４０】
本発明は、上記各実施形態だけでなく、以下のような変形例でも実施することができる。
【００４１】
変形例１：上記実施形態では、１つの印刷物保管部５３に印刷物を保管していたが、図５に示されるように複数の印刷物保管部５４，５５を有する印刷物搬送部５０ａを使用するようにしてもよい。こうすれば、ＰＤＡ２に紐付けられた印刷物が複数の印刷物保管部５４，５５のいずれかに保管されている状態であっても新たにセキュリティ印刷を受け付けることができるからである。
【００４２】
この場合、印刷物保管部の数が２個であるが、印刷物保管部間の印刷物の搬送を可能とすれば、２個のＰＤＡに限られず、３個以上のＰＤＡに紐付けられている印刷物を保管することも可能である。
【００４３】
具体的には、あるＰＤＡに紐付けられている印刷物の１ページ目が印刷物保管部５４の上から３枚目に保管され、そのＰＤＡに紐付けられている印刷物の２ページ目が印刷物保管部５５の５枚目に保管されているといった場合を仮定する。この場合、印刷物保管部５４から２枚の印刷物を印刷物保管部５５に搬送すれば、そのＰＤＡに紐付けられている印刷物の１ページ目を第２排紙トレイ５２に排紙することができる。さらに、印刷物保管部５５から６枚（４枚＋２枚）の印刷物を印刷物保管部５４に搬送すれば、そのＰＤＡに紐付けられている印刷物の２ページ目を第２排紙トレイ５２に排紙することができる。
【００４４】
変形例２：上記各実施形態は、印刷物保管部内の保管順序（上から何枚目か）に基づいて第２排紙トレイ５２に排紙する印刷物を決定しているが、たとえばＰＤＡ毎に相違する固有の電子透かしを印刷物に印刷し、印刷物搬送部に装備されたスキャナで確認してＰＤＡに対応する印刷物を第２排紙トレイ５２に排紙するようにしてもよい。さらに、本発明は、上記スキャナで確認して第２排紙トレイ５２からＰＤＡに対応する印刷物を印刷物保管部に搬送するようにしてもよい。
【００４５】
変形例３：上記各実施形態は、ＰＤＡの認証に指紋情報を使用しているが、指紋に限られず、たとえば虹彩や静脈といった生体情報を使用することもできる。本発明は、一般的に生体情報を使用すればパスワードを入力することなく、簡易にセキュリティ印刷処理を実行することができる。ただし、指紋情報を使用すれば、追加の操作を行うことなくスタートスイッチの操作時に指紋情報を取得できるという利点がある。なお、指紋情報取得部は、生体情報取得部とも呼ばれる。登録指紋情報は、登録生体情報とも呼ばれる。
【００４６】
変形例４：上記各実施形態では、印刷物は原稿の複写物であるが、これに限られず、たとえばＰＤＡが出力した印刷ジョブによって生成される印刷物であってもよい。この場合、セキュリティ印刷システムは、印刷ジョブも近距離無線通信ＴＮによって送受信することができる。さらに、持ち運び可能なＵＳＢメモリその他のストレージに格納されたデータに基づく印刷物であってもよい。
【００４７】
変形例５：上記各実施形態では、近距離無線通信は、ＢＬＵＥＴＯＯＴＨ（登録商標）のＣＬＡＳＳ１を使用しているが、たとえばＣＬＡＳＳ２（出力２．５ｍＷで到達距離１０ｍ）やＣＬＡＳＳ３（出力１００ｍＷで到達距離１００ｍ）を使用するようにしてもよい。この場合には、近距離無線通信の接続や切断でなく、電波強度（ＲＳＳＩ（Ｒｅｃｅｉｖｅｄ  Ｓｉｇｎａｌ  Ｓｔｒｅｎｇｈ  Ｉｎｄｉｃａｔｉｏｎ）とも呼ばれる。）に基づいて推定される距離に応じてステップＳ５０（図２参照）やステップＳ８２（図４参照）の決定を行うことが好ましい。電波強度（ＲＳＳＩ）は、ＢＬＵＥＴＯＯＴＨの通信出力の制御に使用されるパラメータである。
【００４８】
このように、本発明は、近距離無線通信が予め定められた所定の状態（たとえば推定距離が所定の範囲内）にある場合に、印刷物を排紙トレイに排紙し、近距離無線通信が予め定められた所定の状態にない場合に、印刷物を排紙トレイから印刷物保管部に搬送するように構成されていれば良い。なお、上記一実施形態では、近距離無線通信が予め定められた所定の状態にある場合は、近距離無線通信が接続中であることを意味する。なお、近距離無線通信は、ＢＬＵＥＴＯＯＴＨ以外の通信方式であってもよい。
【符号の説明】
【００４９】
１  画像形成装置
２  携帯通信装置
１０  制御部
２０  画像読取部
３０  画像形成部
４０  記憶部
５０、５０ａ  印刷物搬送部
５１  第１排紙トレイ
５２  第２排紙トレイ
５３、５４、５５  印刷物保管部
６０  無線通信部
７０  操作表示部
７１  スタートボタン
８０  自動紙送り装置
１００  セキュリティ印刷システム
【図１】
2016224573.tif 000003
【図２】
2016224573.tif 000004
【図３】
2016224573.tif 000005
【図４】
2016224573.tif 000006
【図５】
2016224573.tif 000007